【手続補正書】
【提出日】平成26年5月22日(2014.5.22)
【手続補正１】
【補正対象書類名】特許請求の範囲
【補正対象項目名】全文
【補正方法】変更
【補正の内容】
【特許請求の範囲】
【請求項１】
遊技機制御用マイコンチップにおいて、
不正対策プログラムおよび該プログラムに関連する情報を記憶する第１の内蔵ＲＯＭと、
遊技制御用のユーザープログラムおよび該プログラムに関連する情報を記憶する第２の内蔵ＲＯＭと、
前記不正対策プログラムに基づく制御又は前記ユーザープログラムに基づく制御を実行する中央制御装置（ＣＰＵ）と、を具備し、
前記不正対策プログラムは、前記ユーザープログラムと一連に実行され、不正行為を検出するためのスイッチの検出状況を監視して不正対策を施す構成とし、
かつ、リセット信号が入力されるシステムリセット端子と、
モード設定信号が入力されるモード設定入力端子と、
前記システムリセット端子へのリセット信号の入力に応じてシステムリセットを実行するシステムリセット手段と、
前記システムリセットの実行後、前記第１の内蔵ＲＯＭへの前記不正対策プログラムの書込みを実行する第１のプログラムモード、前記第２の内蔵ＲＯＭへの前記ユーザープログラムの書込みを実行する第２のプログラムモード、および前記第２の内蔵ＲＯＭに書込まれた前記ユーザープログラムの異常の有無をチェックするセキュリティモードのいずれかに移行せしめるモード移行手段と、を具備し、
前記モード移行手段は、前記システムリセットの実行後に、前記モード設定入力端子へのモード設定信号の入力があることを条件に、前記第１のプログラムモードおよび前記第２のプログラムモードのいずれかに移行せしめ、前記システムリセットの実行後に、前記モード設定入力端子へのモード設定信号の入力がないことを条件に、前記セキュリティモードに移行せしめ、
該セキュリティモードで異常がなければ、前記不正対策プログラムと前記ユーザープログラムに基づく制御を実行するユーザーモードに移行せしめ、前記セキュリティモードで異常があれば、前記中央制御装置の処理を停止せしめることを特徴とする遊技機制御用マイコンチップ。
【請求項２】
請求項１に記載の遊技機制御用マイコンチップにおいて、
ワークエリアとして使用される内蔵ＲＡＭを具備し、
該内蔵ＲＡＭは、前記不正対策プログラムにおけるワークエリアとして使用するとともに、前記ユーザープログラムにおけるワークエリアとしても共通に使用するように構成されたことを特徴とする遊技機制御用マイコンチップ。
【手続補正２】
【補正対象書類名】明細書
【補正対象項目名】０００６
【補正方法】変更
【補正の内容】
【０００６】
請求項１に記載の発明は、
遊技機制御用マイコンチップにおいて、
不正対策プログラムおよび該プログラムに関連する情報を記憶する第１の内蔵ＲＯＭと、
遊技制御用のユーザープログラムおよび該プログラムに関連する情報を記憶する第２の内蔵ＲＯＭと、
前記不正対策プログラムに基づく制御又は前記ユーザープログラムに基づく制御を実行する中央制御装置（ＣＰＵ）と、を具備し、
前記不正対策プログラムは、前記ユーザープログラムと一連に実行され、不正行為を検出するためのスイッチの検出状況を監視して不正対策を施す構成とし、
かつ、リセット信号が入力されるシステムリセット端子と、
モード設定信号が入力されるモード設定入力端子と、
前記システムリセット端子へのリセット信号の入力に応じてシステムリセットを実行するシステムリセット手段と、
前記システムリセットの実行後、前記第１の内蔵ＲＯＭへの前記不正対策プログラムの書込みを実行する第１のプログラムモード、前記第２の内蔵ＲＯＭへの前記ユーザープログラムの書込みを実行する第２のプログラムモード、および前記第２の内蔵ＲＯＭに書込まれた前記ユーザープログラムの異常の有無をチェックするセキュリティモードのいずれかに移行せしめるモード移行手段と、を具備し、
前記モード移行手段は、前記システムリセットの実行後に、前記モード設定入力端子へのモード設定信号の入力があることを条件に、前記第１のプログラムモードおよび前記第２のプログラムモードのいずれかに移行せしめ、前記システムリセットの実行後に、前記モード設定入力端子へのモード設定信号の入力がないことを条件に、前記セキュリティモードに移行せしめ、
該セキュリティモードで異常がなければ、前記不正対策プログラムと前記ユーザープログラムに基づく制御を実行するユーザーモードに移行せしめ、前記セキュリティモードで異常があれば、前記中央制御装置の処理を停止せしめる構成とする。
【手続補正３】
【補正対象書類名】明細書
【補正対象項目名】０００７
【補正方法】変更
【補正の内容】
【０００７】
請求項１の発明によれば、遊技機制御用マイコンチップにおいて、不正対策プログラムを格納する第１の内蔵ＲＯＭとユーザープログラムを格納する第２の内蔵ＲＯＭとを設け、モード移行手段により不正対策プログラムを書込む第１のプログラムモードとユーザープログラムを書込む第２のプログラムモードとに切り換えるようにし、不正対策プログラムおよびユーザープログラムをそれぞれ、異なる格納領域へ個別に書込むようにした。よって、マイコンチップメーカーにて不正対策プログラムを書込むようにし、遊技機メーカーにてユーザープログラムを書込むようにできる。
このようにマイコンチップメーカーにて不正対策プログラムを書込むようにすれば、遊技機メーカーにおいては不正対策プログラムを改変することができず、不正対策プログラムを遊技機制御用マイコンチップの機能の一部とすることが可能となる。よってチップの機能の一部となった不正対策プログラムはプログラム記憶用の前記規定の記憶容量から除外することができ、その分、ユーザープログラムの記憶容量を増加することができる。したがって、ユーザープログラムのプログラム内容を増やすことができ、遊技内容が豊富で興趣の豊かな遊技を実現することができる。
尚、遊技機制御用マイコンチップは、専用のＲＯＭライタにより不正対策およびユーザープログラムが第１又は第２の内蔵ＲＯＭに書込まれる。前記ＲＯＭライタにマイコンチップをセットすることで、モード設定入力端子にＲＯＭライタよりモード設定信号が入力され、第１又は第２のプログラムモードへ移行させるようにしてある。マイコンチップを遊技機に実装した場合は、モード設定入力端子をプルダウンしてモード設定信号が入力しないようにすることが望ましい。
また、第１および第２のプログラムモードにおいては、不正対策又はユーザープログラムの第１、第２の各内蔵ＲＯＭへの書込み後に、正常に書込むことができたか確認するために、各内蔵ＲＯＭからプログラムを読出せることは勿論である。
【手続補正４】
【補正対象書類名】明細書
【補正対象項目名】０００８
【補正方法】変更
【補正の内容】
【０００８】
また、前記セキュリティモード移行後に、該セキュリティモードで異常があれば、ユーザープログラムが異常のため中央制御装置の処理を停止することが望ましい。
【手続補正５】
【補正対象書類名】明細書
【補正対象項目名】０００９
【補正方法】変更
【補正の内容】
【０００９】
請求項２に記載の発明は、
請求項１に記載の遊技機制御用マイコンチップにおいて、
ワークエリアとして使用される内蔵ＲＡＭを具備し、
該内蔵ＲＡＭは、前記不正対策プログラムにおけるワークエリアとして使用するとともに、前記ユーザープログラムにおけるワークエリアとしても共通に使用するように構成する。
【手続補正６】
【補正対象書類名】明細書
【補正対象項目名】００１０
【補正方法】変更
【補正の内容】
【００１０】
請求項２の発明によれば、不正対策プログラムにおけるワークエリアとして使用するＲＡＭとユーザープログラムのワークエリアとして使用するＲＡＭとを分けずにすみメモリ構成の簡素化が図れる。また不正対策プログラムによる判定結果の書込みアドレス（内蔵ＲＡＭ領域のアドレス）をユーザープログラムによって確認することができるので、不正行為の有無に関する情報出力をユーザープログラムによって管理することができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】